(57)【特許請求の範囲】
【請求項１】
光学ベースと、レーザ光源と、中央部に一対のシーソ支点及びレーザ光源収容穴を有し、一側部にねじ挿通穴を有し、かつ、前記一対のシーソ支点により前記光学ベースに回転可能に保持されたシーソ支持板と、前記シーソ支持板を前記光学ベースに対して移動可能に装着するばねと、前記シーソ支持板に設けられたねじ挿通穴を挿通し、前記光学ベースに設けられたねじ穴に嵌合して前記シーソ支持板を回転させ、前記レーザ光源のレーザビームの中心が対物レンズの中心に一致するように調節する調節ねじとから構成され、前記一対のシーソ支点の支点軸は前記レーザ光源の発光点を通ることを特徴とする光ピックアップ。
【請求項２】
前記シーソ支点は、一対であって、前記レーザ光源収容穴の両側に設置されていることを特徴とする請求項１記載の光ピックアップ。
【請求項３】
前記レーザ光源は回路基板に半田付けされ、前記ばねは、板状ばねであって、前記シーソ支持板及び前記シーソ支持板に固定された前記回路基板を前記光学ベースに対して挟持するように装着することを特徴とする請求項１記載の光ピックアップ。
【請求項４】
光学ベースと、レーザ光源と、中央部に一対のシーソ支点及びレーザ光源収容穴を有し、一側部にねじ挿通穴を有し、かつ、前記一対のシーソ支点により前記光学ベースに回転可能に保持されたシーソ支持板と、前記シーソ支持板を前記光学ベースに対して移動可能に装着するばねと、前記シーソ支持板に設けられたねじ挿通穴を挿通し、前記光学ベースに設けられたねじ穴に嵌合して前記シーソ支持板を回転させる調節ねじとから構成され、前記一対のシーソ支点の支点軸は前記レーザ光源の発光点を通り、前記調節ねじにより前記レーザ光源のレーザビームの中心が対物レンズの中心に一致するように調節することを特徴とする光ピックアップの調整方法。
【発明の詳細な説明】
【０００１】
【発明の属する技術分野】
本発明は、光ピックアップに関し、特にレーザビームの方向の調節に関するものである。
【０００２】
【従来の技術】
従来の光ピックアップについて図３と図４を参照して説明する。
【０００３】
図３は、光ピックアップの平面図である。光ディスク記録再生装置に用いられるこの光ピックアップ１は、光学ベース２と、対物レンズ３−１やトラッキングコイル及びフォーカシングコイルを備えたレンズホルダ３と、このレンズホルダ３とダンパベース４とを収容しているアクチュエータベース５等を備えている。
【０００４】
光ピックアップ１は、レーザ光を発生するレーザ部１１を備えている。レーザ部１１から発したレーザ光は、ビームスプリッタから対物レンズ３−１を介して光記録媒体である光ディスクに照射される。光ディスクからの反射光は、対物レンズ３−１からビームスプリッタを介して受光装置に入射する。即ち、受光装置は、光ディスクからの反射光を受光する。
【０００５】
レーザ部１１及びビームスプリッタは、光学ベース２に保持されている。なお、光学ベース２は、さらに光ディスクドライブの筐体に保持固定される。その光学ベース２の側面には、回路基板１５が固定されている。回路基板１５は、それに接続されたフレキシブルケーブル１６により光ディスクドライブの他の回路要素に電気的に接続される。
【０００６】
図３に戻って、レンズホルダ３とダンパベース４との間は、複数のサスペンションワイヤ６で連結され、これらの組み立て体がアクチュエータベース５に収容されている。アクチュエータベース５の一部は、ヨーク７となっており、このヨーク７にはマグネットが組み合わされている。
【０００７】
アクチュエータベース５は、金属材料で成形された略枠状体の一端側にダンパベース４の受入れ部を有する。この受入れ部には、ダンパベース４を固定するための支持ブロック５−１を有する。支持ブロック５−１は、アクチュエータベース５に一体に成形されている。更に、略枠状体の両側壁には、光学ベース２に設けられた支持部２−１で支持される略半円形状の突部５−２が設けられている。
【０００８】
ダンパベース４には透明な樹脂材料で成形されたダンパベースカバー４−２が取付けられており、その後部にはサスペンションワイヤ６の一端を固定するための固定部４−１が設けられ、ダンパベース４とダンパベースカバー４−２との間の空間にサスペンションワイヤ６の振動を抑制するための制振材が注入されている。更に、ダンパベース４の後壁には、固定された更に先のサスペンションワイヤ６の端部と半田付け接続するためのフレキシブル配線基板８が設けられている。このダンパベース４は、アクチュエータベース５の両側壁と支持ブロック５−１との間のスペースに挿入された状態にて固定される。
【０００９】
ダンパベース４は、ねじ９により支持ブロック５−１とダンパベース４とを挟み付けるようにして取り付けられ、ダンパベース４をねじ９を中心として回動可能としている。これは、スキュー調整を行うためである。
【００１０】
ダンパベース４をアクチュエータベース５に固定する前に、ダンパベース４にはサスペンションワイヤ６が取り付けられている。すなわち、レンズホルダ３とダンパベース４とは、複数のサスペンションワイヤ６で連結された組み立て体の状態にてアクチュエータベース５に収容され固定される。
【００１１】
【発明が解決しようとする課題】
レーザ部１１のレーザダイオード（ＬＤ）から発したレーザビームの強度分布を図４に模式的に示す。
【００１２】
チップのボンディング精度とチップの屈折力が大きいことに起因して、レーザビームの傾きは、基準方向より±２〜３度のばらつきでずれる。
【００１３】
安価な低出力レーザダイオードを用い、最大限の出力を得て光学的性能を満足させるためには、レーザビームの大きい傾きが支障になる。
【００１４】
そこで、本発明は、先願発明の欠点を改良し、光ディスク記録再生装置において、レーザビームの基準方向に対する傾きを減小させて、安定した書き込み及び読み取り性能を得ようとするものである。
【００１５】
【課題を解決するための手段】
本発明は、前記課題を解決するため、次の手段を採用する。
【００１６】
（１）光学ベースと、レーザ光源と、中央部に一対のシーソ支点及びレーザ光源収容穴を有し、一側部にねじ挿通穴を有し、かつ、前記一対のシーソ支点により前記光学ベースに回転可能に保持されたシーソ支持板と、前記シーソ支持板を前記光学ベースに対して移動可能に装着するばねと、前記シーソ支持板に設けられたねじ挿通穴を挿通し、前記光学ベースに設けられたねじ穴に嵌合して前記シーソ支持板を回転させ、前記レーザ光源のレーザビームの中心が対物レンズの中心に一致するように調節する調節ねじとから構成され、前記一対のシーソ支点の支点軸は前記レーザ光源の発光点を通る光ピックアップ。
【００１７】
（２）前記シーソ支点は、一対であって、前記レーザ光源収容穴の両側に設置されている前記（１）記載の光ピックアップ。
（３）前記レーザ光源は回路基板に半田付けされ、前記ばねは、板状ばねであって、前記シーソ支持板及び前記シーソ支持板に固定された前記回路基板を前記光学ベースに対して挟持するように装着する前記（１）記載の光ピックアップ。
【００１８】
（４）光学ベースと、レーザ光源と、中央部に一対のシーソ支点及びレーザ光源収容穴を有し、一側部にねじ挿通穴を有し、かつ、前記一対のシーソ支点により前記光学ベースに回転可能に保持されたシーソ支持板と、前記シーソ支持板を前記光学ベースに対して移動可能に装着するばねと、前記シーソ支持板に設けられたねじ挿通穴を挿通し、前記光学ベースに設けられたねじ穴に嵌合して前記シーソ支持板を回転させる調節ねじとから構成され、前記一対のシーソ支点の支点軸は前記レーザ光源の発光点を通り、前記調節ねじにより前記レーザ光源のレーザビームの中心が対物レンズの中心に一致するように調節する光ピックアップの調整方法。
【００１９】
【発明の実施の形態】
本発明の一実施の形態例について図１と図２を参照して説明する。
【００２０】
図１は、本実施の形態例の要部を分解して示す模式的斜視図である。光学ベース２（その一部を図１に示す。）には、シーソ支持板１８が、中央部の上下位置に設けられた一対のシーソ支点１８−１により回転可能に保持されている。シーソ支持板１８には、中央部にレーザダイオード収容穴１８−２が開けられ、また、一側部にねじ挿通穴１８−３が開けられている。シーソ支持板１８には、フレキシブル回路基板１５が両面テープにより固定され、回路基板１５には、レーザダイオード１１−１が半田付けされ、レーザダイオード１１−１は、シーソ支持板１８のレーザダイオード収容穴１８−２に収容されている。一対のシーソ支点１８−１の支点軸は、レーザダイオード発光点１１−２（図２参照）を通る。回路基板１５とシーソ支持板１８は、板状ばね１９により光学ベース２に対してわずかに移動可能に挟持されるように装着されている。調節ねじ２０の先端は、シーソ支持板１８のねじ挿通穴１８−３を挿通し、光学ベースに設けられたねじ穴２−２にねじ込まれている。
【００２１】
レーザビームが基準方向に対して傾いている場合、図１において、調節ねじ２０を左又は右方向に回転すると、シーソ支持板１８と回路基板１５は、一対のシーソ支点１８−１を中心として板状ばね１９の挟持力に抵抗する方向に又は挟持力を緩和する方向に回転する。
【００２２】
すると、図２において、レーザダイオード１１−１は、レーザダイオード発光点１１−２を中心に調節ねじ２０の回転方向に応じて左又は右の矢印方向に回転する。レーザビームの中心が、対物レンズの中心に一致したとき、調節ねじ２０の回転を停止する。この結果、対物レンズの両端には、同一強度のレーザ光が入射する。
【００２３】
【発明の効果】
以上の説明から明らかなように、本発明によれば、レーザビームの中心と対物レンズの中心とを一致させることにより、対物レンズの両端には同一強度のレーザ光が入射するから、対物レンズで集光された光スポットの強度分布及び光スポット径が対称になるので、次の効果を奏することができる。
【００２４】
（１）光ディスクに対する安定した書き込み及び読み取り性能を得ることができる。
【００２５】
（２）低出力レーザダイオード等を用いることができるため、コストが安価になる。
【図面の簡単な説明】
【図１】本発明の一実施の形態例の光ピックアップにおける要部の模式的斜視図である。
【図２】本発明の一実施の形態例の光ピックアップにおけるレーザビームの方向の調節を説明するための平面図である。
【図３】従来の光ピックアップの平面図である。
【図４】従来の光ピックアップにおけるレーザダイオードから発したレーザビームの強度分布を示す模式図である。
【符号の説明】
２    光学ベース
１１−１    レーザダイオード（ＬＤ）
１１−２    レーザダイオード発光点
１５    回路基板
１８    シーソ支持板
１８−１    シーソ支点
１８−２    レーザダイオード収容穴
１８−３    ねじ挿通穴
１９    板状ばね
２０    調節ねじ
【図１】
0003584957.tif 000002
【図２】
0003584957.tif 000003
【図３】
0003584957.tif 000004
【図４】
0003584957.tif 000005